(57)【要約】      （修正有）【課題】通信ケーブルと接続された状態にて通信ケーブルに外力が加わった場合でもレセプタクルの破損を防ぐことのできる電子機器を提供する。【解決手段】端子部３２と絶縁部３３とを含むプラグを有する通信ケーブルの端子部３２を挿抜可能なレセプタクル２０内蔵する筐体は、レセプタクル２０を露出させるための開口と、端子部３２がレセプタクル２０に挿入された状態において、絶縁部３３における対向する２つの上面３３Ｕ及び下面３３Ｄの各々に対面する上面部１１Ｕ及び下面部１１Ｄと、を有し、レセプタクル２０に対する端子部３２の挿抜方向Ｙから見た状態において、上面部１１Ｕ及び下面部１１Ｄは開口よりも外側に位置しており、上面部１１Ｕ及び下面部１１Ｄによって、方向Ｚへのプラグの移動が規制される。【選択図】図６
0003217132.tif 000002
【実用新案登録請求の範囲】
【請求項１】
端子部と前記端子部の一部を覆う絶縁材料により構成された絶縁部とを含むプラグを有する通信ケーブルの前記端子部を挿抜可能なレセプタクルを筐体に内蔵する電子機器であって、
前記筐体は、前記レセプタクルを露出させるための開口と、前記端子部が前記レセプタクルに挿入された状態において、前記プラグの前記絶縁部における対向する２つの第一の面の各々に対面する一対の第一の対面部と、を有し、
前記レセプタクルに対する前記端子部の挿抜方向から見た状態において、前記一対の前記第一の対面部は前記開口よりも外側に位置しており、
前記一対の前記第一の対面部によって、前記第一の面に垂直な方向への前記プラグの移動が規制される電子機器。
【請求項２】
請求項１記載の電子機器であって、
前記筐体は、前記端子部が前記レセプタクルに挿入された状態において、前記プラグの前記絶縁部における前記２つの第一の面以外の２つの対向する第二の面と対面する一対の第二の対面部を更に有し、
前記端子部の挿抜方向から見た状態において、前記一対の前記第二の対面部は前記開口よりも外側に位置しており、
前記一対の前記第二の対面部によって前記第二の面に垂直な方向への前記プラグの移動が規制される電子機器。
【請求項３】
請求項１又は２記載の電子機器であって、
前記絶縁部における前記２つの第一の面は、前記レセプタクルに含まれる複数の端子の配置面に平行な面である電子機器。
【請求項４】
請求項１から３のいずれか１項記載の電子機器であって、
前記端子部が前記レセプタクルに挿入された状態において、前記絶縁部のうちの前記レセプタクル側の端部と前記レセプタクルの前記絶縁部側の端部との距離をＬｃとし、前記端子部の挿抜方向における前記絶縁部の長さをＬｍとし、前記レセプタクルの前記絶縁部側の前記端部と、前記第一の対面部の端部との距離をＬｘとした場合に、
Ｌｃ＜Ｌｘ＜（Ｌｃ＋Ｌｍ）の関係が成り立つ電子機器。
【請求項５】
請求項４記載の電子機器であって、
前記端子部の前記絶縁部によって覆われていない部分の前記挿抜方向の長さをＬｐとした場合に、
Ｌｃ＜Ｌｘ＜Ｌｐの関係が成り立つ電子機器。
【請求項６】
請求項５記載の電子機器であって、
ＬｐからＬｃを減算して得られる長さをｄとし、前記レセプタクルに含まれる複数の端子の配置面に垂直な方向における前記端子部の高さをＬ１とし、当該方向における前記レセプタクルの当該端子部の挿入部分の高さをＬ２とし、Ｌ１とＬ２との差の許容される最大値をＧとし、前記一対の前記第一の対面部の間の距離から、前記通信ケーブルの規格によって規定される前記配置面に垂直な方向における前記絶縁部の最大幅を減算して得られた値の半分の値をｈとした場合に、
Ｌｘは、｛ｈ／（Ｇ／ｄ）｝以上となっている電子機器。
【請求項７】
請求項１から６のいずれか１項記載の電子機器であって、
前記開口は、前記レセプタクルに対する前記端子部の挿入方向に向かって狭くなる形状である電子機器。
【請求項８】
請求項１から７のいずれか１項記載の電子機器であって、
前記筐体の外表面には凹部が形成されており、
前記凹部の底面に前記開口が形成され、
前記凹部の内壁面によって前記第一の対面部が形成される電子機器。
【請求項９】
請求項１から７のいずれか１項記載の電子機器であって、
前記筐体は、外表面に前記レセプタクルに対する前記端子部の挿抜方向に立設された一対の立設部を有し、
前記一対の立設部の対向する面によって前記一対の前記第一の対面部が形成される電子機器。
【請求項１０】
請求項１から７のいずれか１項記載の電子機器であって、
前記筐体は、外表面に立設された筒状の部材を有し、
前記筒状の部材によって囲まれる前記筐体の外表面に前記開口が形成され、
前記筒状の部材の内壁面によって前記第一の対面部が形成される電子機器。
【考案の詳細な説明】
【技術分野】
【０００１】
本考案は、通信ケーブルのプラグの端子部を挿抜可能なレセプタクルを筐体に内蔵する電子機器に関する。
【背景技術】
【０００２】
レセプタクルを筐体に内蔵する携帯型の電子機器としては、例えばスマートフォン、ストレージ装置、モバイルルータ、又はモバイルバッテリ等がある。このような携帯型の電子機器の保護技術として、例えば特許文献１には、外的衝撃からディスクドライブ本体を保護する緩衝部材を筐体内部に備えた携帯型のストレージ装置が記載されている。
【先行技術文献】
【特許文献】
【０００３】
【特許文献１】特開２０１１−１００５１２号公報
【考案の概要】
【考案が解決しようとする課題】
【０００４】
通信ケーブルのプラグは、端子部とこの端子部の一部を覆う絶縁材料により構成された絶縁部とを含む。この端子部をレセプタクルに挿入した状態にて、レセプタクル先端と通信ケーブルの絶縁部との間に隙間を設けることが、通信ケーブルの規格によって決められている。
【０００５】
一般的な電子機器では、筐体の外周面にレセプタクルを露出させるための開口が形成されている。そのため、この開口から露出するレセプタクルに、通信ケーブルのプラグの端子部を挿入した状態では、上記の隙間分、電子機器の筐体から離れた位置にプラグの絶縁部が配置されることになる。
【０００６】
この状態において、通信ケーブルに対し外力が加わり、例えばレセプタクルの端子群の配置面に垂直な方向にプラグが強く引っ張られた状態になると、プラグに伝わった力がレセプタクルに伝わり、レセプタクルが破損したり、レセプタクルと筐体内の基板との接合部分が破損したりする可能性がある。
【０００７】
通信ケーブルのプラグが破損した場合には、通信ケーブルを交換すればよく、この交換は容易に行うことができる。しかし、レセプタクルが破損した場合には、電子機器を修理に出す必要がある。したがって、ユーザにとっては、修理のためのコストが発生したり、電子機器の使えない時間が発生したりする。
【０００８】
本考案は、上記事情に鑑みてなされたものであり、通信ケーブルと接続された状態にて通信ケーブルに外力が加わった場合でもレセプタクルの破損を防ぐことのできる電子機器を提供することを目的とする。
【課題を解決するための手段】
【０００９】
本考案の電子機器は、端子部と前記端子部の一部を覆う絶縁材料により構成された絶縁部とを含むプラグを有する通信ケーブルの前記端子部を挿抜可能なレセプタクルを筐体に内蔵する電子機器であって、前記筐体は、前記レセプタクルを露出させるための開口と、前記端子部が前記レセプタクルに挿入された状態において、前記プラグの前記絶縁部における対向する２つの第一の面の各々に対面する一対の第一の対面部と、を有し、前記レセプタクルに対する前記端子部の挿抜方向から見た状態において、前記一対の前記第一の対面部は前記開口よりも外側に位置しており、前記一対の前記第一の対面部によって、前記第一の面に垂直な方向への前記プラグの移動が規制されるものである。
【考案の効果】
【００１０】
本考案によれば、通信ケーブルと接続された状態にて通信ケーブルに外力が加わった場合でもレセプタクルの破損を防ぐことのできる電子機器を提供することができる。
【図面の簡単な説明】
【００１１】
【図１】本考案の電子機器の一実施形態である携帯型のストレージ装置１００の概略構成を示す外観斜視図である。
【図２】図１に示すストレージ装置１００と他の電子機器とを通信可能に接続するための通信ケーブル３０の概略構成を示す図である。
【図３】図１に示すストレージ装置１００における凹部１１近傍を模式的に示す拡大斜視図である。
【図４】図３に示すＡ−Ａ線の断面模式図である。
【図５】図２に示す通信ケーブル３０のプラグ３１を模式的に示す斜視図である。
【図６】図４に示すレセプタクル２０に通信ケーブル３０の端子部３２が挿入された状態を模式的に示す図である。
【図７】図１に示すストレージ装置１００の変形例であるストレージ装置１００Ａの概略構成を示す外観斜視図である。
【図８】図７に示すストレージ装置１００Ａの筒状の部材１３近傍を模式的に示す斜視図である。
【図９】図７に示すストレージ装置１００Ａの筒状の部材１３近傍の変形例を模式的に示す斜視図である。
【考案を実施するための形態】
【００１２】
以下、本考案の実施形態について図面を参照して説明する。
【００１３】
図１は、本考案の電子機器の一実施形態である携帯型のストレージ装置１００の概略構成を示す外観斜視図である。ストレージ装置１００は、「ＵＳＢ（ｕｎｉｖｅｒｓａｌ  ｓｅｒｉａｌ  ｂｕｓ）３．０  Ｍｉｃｒｏ−Ｂ」の規格により、通信ケーブルを介して、他の電子機器と通信可能に構成されている。
【００１４】
なお、この規格は一例であり、例えば「ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）  ＴｙｐｅＡ」又は「ＵＳＢ３．１  Ｔｙｐｅ−Ｃ」等の別の規格によって、ストレージ装置１００と電子機器とが通信可能に構成されていてもよい。
【００１５】
図１に示すように、ストレージ装置１００は、ハードィスクドライブ等の構成部品を収容する直方体形状の筐体１０を備える。
【００１６】
筐体１０の内部には、「ＵＳＢ３．０  Ｍｉｃｒｏ−Ｂ」の規格に準拠する後述の通信ケーブル３０の端子部３２（図２参照）を挿抜可能な、「ＵＳＢ３．０  Ｍｉｃｒｏ−Ｂ」の規格に準拠する後述のレセプタクル２０（図３、図４参照）が設けられている。
【００１７】
筐体１０の４つの側面のうちの１つの側面１０ａには、後述の通信ケーブル３０の絶縁部３３を挿抜可能な大きさの直方体形状の凹部１１が形成されており、この凹部１１の底面に、筐体１０内部のレセプタクル２０を露出させるための開口１２が形成されている。
【００１８】
筐体１０の側面１０ａは、レセプタクル２０に含まれる複数の端子の配置面に垂直な面である。この側面１０ａに垂直な方向（図１の例では筐体１０の長手方向）を方向Ｙといい、方向Ｙが、通信ケーブル３０の端子部３２のレセプタクル２０に対する挿抜方向となっている。側面１０ａに平行な方向のうち、レセプタクル２０に含まれる複数の端子が配列されている方向（図１の例では筐体１０の短手方向）を方向Ｘという。方向Ｙと方向Ｘに垂直な方向を方向Ｚという。  
【００１９】
方向Ｙのうち、側面１０ａからこの反対側の側面に向かう方向Ｙ１を、通信ケーブル３０の端子部３２のレセプタクル２０への挿入方向と言い、方向Ｙ１と逆の方向Ｙ２を、通信ケーブル３０の端子部３２のレセプタクル２０からの抜き取り方向と言う。
【００２０】
図２は、図１に示すストレージ装置１００と他の電子機器とを通信可能に接続するための通信ケーブル３０の概略構成を示す図である。図２では、通信ケーブル３０のうち、ストレージ装置１００に挿入される側の端部を示している。
【００２１】
図２に示す通信ケーブル３０は、「ＵＳＢ３．０  Ｍｉｃｒｏ−Ｂ」の規格に準拠するものであり、先端にプラグ３１を有している。
【００２２】
プラグ３１は、後述するレセプタクル２０の形状に対応した開口部を有する導電性部材と、この開口部に配置された複数の端子からなる端子群３２ａ及びこの開口部に配置された複数の端子からなる端子群３２ｂを有する端子部３２と、端子部３２の一部を覆う樹脂等の絶縁材料から構成された絶縁部３３とによって構成されている。
【００２３】
端子群３２ａに含まれる各端子は同一平面上に配置されており、端子群３２ｂに含まれる各端子は同一平面上に配置されている。端子群３２ａに含まれる端子の配置面と、端子群３２ｂに含まれる端子の配置面とは平行であり、これらの配置面は、端子部３２がレセプタクル２０に挿入された状態において、方向Ｘと方向Ｙに平行な面（方向Ｚに垂直な面）となっている。
【００２４】
図３は、図１に示すストレージ装置１００における凹部１１近傍を模式的に示す拡大斜視図である。図４は、図３に示すＡ−Ａ線の断面模式図である。
【００２５】
図３に示すように、筐体１０の側面１０ａに形成された凹部１１の方向Ｙに沿って延びる内壁面は、方向Ｚに垂直な平面であり且つ方向Ｘに延びる下面部１１Ｄと、方向Ｚに垂直な平面であり且つ方向Ｘに延びる上面部１１Ｕと、方向Ｘに垂直な平面であり且つ方向Ｚに延びる右側面部１１Ｒと、方向Ｘに垂直な平面であり且つ方向Ｚに延びる左側面部１１Ｌと、によって構成されている。下面部１１Ｄと上面部１１Ｕは対向しており、右側面部１１Ｒと左側面部１１Ｌは対向している。凹部１１の底面１１Ｂは、下面部１１Ｄ、上面部１１Ｕ、右側面部１１Ｒ、及び左側面部１１Ｌに対して垂直な面である。  
【００２６】
図３及び図４に示すように、凹部１１の底面１１Ｂには開口１２が形成されており、この開口１２からは、筐体１０の内部に配置されたレセプタクル２０が露出している。
【００２７】
レセプタクル２０は、外周部材２１と、外周部材２１の開口部２２に配置された端子部２３及び端子部２４と、を備える。
【００２８】
端子部２３は、方向Ｚに垂直な平面である配置面上に複数の端子が方向Ｘに並べて配置された構成である。端子部２４は、方向Ｚに垂直な平面である配置面上に複数の端子が方向Ｘに並べて配置された構成である。端子部２３と端子部２４は、開口部２２において方向Ｚの一方側（図３及び図４中の上側）に配置されている。端子部２３と端子部２４に含まれる各端子は、方向Ｚの他方側（図３及び図４中の下側）に向けて配置されている。
【００２９】
図２に示す通信ケーブル３０の端子部３２がレセプタクル２０に挿入された状態では、通信ケーブル３０の端子部３２に含まれる端子群３２ｂの各端子がレセプタクル２０の端子部２３の各端子と接触する。また、この状態では、通信ケーブル３０の端子部３２に含まれる端子群３２ａの各端子がレセプタクル２０の端子部２４の各端子と接触する。
【００３０】
開口１２は、通信ケーブル３０の端子部３２の挿入方向（方向Ｙ１）に向かって幅が狭くなる所謂テーパー形状となっている。
【００３１】
開口１２は、方向Ｙにおける底面１１Ｂ側の開口端縁１２ａと、方向Ｙにおける底面１１Ｂ側と反対側の開口端縁１２ｂと、開口端縁１２ａと開口端縁１２ｂを繋ぐ側面部１２ｃと、によって構成されている。開口端縁１２ｂは、方向Ｙから見て、開口端縁１２ａよりも小さく且つ開口端縁１２ａの内側に位置している。
【００３２】
図３及び図４に示すように、レセプタクル２０の外周部材２１の方向Ｙにおける開口１２側の先端面には、突起部２０ａと突起部２０ｂが形成されている。
【００３３】
突起部２０ｂは、外周部材２１の方向Ｙにおける開口１２側の先端面のうちの、方向Ｚにおける端子部２３，２４に近い側の部分（図４中の方向Ｚの上側の部分）に形成されている。
【００３４】
突起部２０ａは、外周部材２１の方向Ｙにおける開口１２側の先端面のうちの、方向Ｚにおける端子部２３，２４に近い側と反対側の部分（図４中の方向Ｚの下側の部分）に形成されている。突起部２０ａと突起部２０ｂは、それぞれ、方向Ｚにおいて開口部２２から離れる方向に傾斜している。
【００３５】
突起部２０ａの方向Ｚにおける開口部２２側の面は傾斜面となっており、この傾斜面は、開口部２２の内壁面に繋がっている。突起部２０ｂの方向Ｚにおける開口部２２側の面は傾斜面となっており、この傾斜面は、開口部２２の内壁面に繋がっている。
【００３６】
開口端縁１２ｂの方向Ｚの両端部のうちの突起部２０ｂに近い側の端部は、突起部２０ｂの上記の傾斜面の方向Ｙの先端（方向Ｙ２側の先端）に対し、方向Ｚにおいて、開口部２２から遠い位置に形成されている。
【００３７】
一方、開口端縁１２ｂの方向Ｚの両端部のうちの突起部２０ａに近い側の端部は、突起部２０ａの上記の傾斜面の方向Ｙの先端（方向Ｙ２側の先端）に対し、方向Ｚにおいて、開口部２２に近い位置に形成されている。
【００３８】
図５は、図２に示す通信ケーブル３０のプラグ３１を模式的に示す斜視図である。図５中の方向Ｙに垂直な方向Ｚ１から見た平面図が図２の平面図である。
【００３９】
図５に示すように、プラグ３１の絶縁部３３は略直方体形状であり、絶縁部３３の外周面は、端子部３２に含まれる複数の端子の配置面に平行且つ互いに対向する上面３３Ｕ及び下面３３Ｄと、上面３３Ｕ及び下面３３Ｄに垂直な互いに対向する右側面３３Ｒ及び左側面３３Ｌとを含む。
【００４０】
図６は、図４に示すレセプタクル２０に通信ケーブル３０の端子部３２が挿入された状態を模式的に示す図である。なお、図６では、通信ケーブル３０については方向Ｘから見た側面のみを模式的に示し、ストレージ装置１００については図４と同様の断面を模式的に示している。
【００４１】
図６に示すように、通信ケーブル３０の端子部３２がレセプタクル２０に挿入された状態（以下、挿入状態という）では、プラグ３１の絶縁部３３の上面３３Ｕの方向Ｙにおける端子部３２側の端部が、筐体１０の上面部１１Ｕに対し隙間を空けて対面する。
【００４２】
また、プラグ３１の絶縁部３３の下面３３Ｄの方向Ｙにおける端子部３２側の端部が、筐体１０の下面部１１Ｄに対し隙間を空けて対面する。そして、これら上面部１１Ｕ及び下面部１１Ｄによって、方向Ｚへのプラグ３１の移動が規制される。
【００４３】
ストレージ装置１００の上面部１１Ｕと下面部１１Ｄは、それぞれ、第一の対面部として機能する。プラグ３１の絶縁部３３の上面３３Ｕと下面３３Ｄは、それぞれ、第一の面を構成している。
【００４４】
なお、図６には示されていないが、挿入状態では、プラグ３１の絶縁部３３の右側面３３Ｒの方向Ｙにおける端子部３２側の端部が、筐体１０の右側面部１１Ｒに対し隙間を空けて対面する。
【００４５】
また、プラグ３１の絶縁部３３の左側面３３Ｌの方向Ｙにおける端子部３２側の端部が、筐体１０の左側面部１１Ｌに対し隙間を空けて対面する。そして、これら右側面部１１Ｒ及び左側面部１１Ｌによって、方向Ｘへのプラグ３１の移動が規制される。
【００４６】
右側面部１１Ｒと左側面部１１Ｌは、それぞれ、第二の対面部として機能する。プラグ３１の絶縁部３３の右側面３３Ｒと左側面３３Ｌは、それぞれ、第二の面を構成している。
【００４７】
筐体１０の凹部１１の方向Ｚの高さ（上面部１１Ｕと下面部１１Ｄとの間の距離）は、この凹部１１に対して「ＵＳＢ３．０  Ｍｉｃｒｏ−Ｂ」の規格に準拠する通信ケーブル３０における絶縁部３３が挿抜可能となり、且つ、方向Ｚへのプラグ３１の移動が十分に規制できるように、規格で規定されている絶縁部３３の方向Ｚの高さの最大値（「ＵＳＢ３．０  Ｍｉｃｒｏ−Ｂ」の場合は８．５ｍｍ）よりもごく僅かに大きい値とされている。
【００４８】
また、筐体１０の凹部１１の方向Ｘの幅（右側面部１１Ｒと左側面部１１Ｌとの間の距離）は、この凹部１１に対して「ＵＳＢ３．０  Ｍｉｃｒｏ−Ｂ」の規格に準拠する通信ケーブル３０における絶縁部３３が挿抜可能となり、且つ、方向Ｘへのプラグ３１の移動が十分に規制できるように、規格で規定されている絶縁部３３の方向Ｘの幅の最大値よりもごく僅かに大きい値とされている。
【００４９】
図６に示す挿入状態において、絶縁部３３の方向Ｙにおけるレセプタクル２０側の端部と、レセプタクル２０の方向Ｙにおける絶縁部３３側の端部との距離をＬｃと定義する。この距離Ｌｃは、通信ケーブル３０及びレセプタクル２０の準拠する規格によって、その下限値が定められている。
【００５０】
また、絶縁部３３の方向Ｙの長さをＬｍと定義する。このＬｍは、通信ケーブル３０の準拠する規格によって定められている。更に、図６に示す挿入状態において、レセプタクル２０の方向Ｙにおける絶縁部３３側の端部と、上面部１１Ｕ及び下面部１１Ｄの方向Ｙにおける方向Ｙ２側の端部との距離をＬｘと定義する。
【００５１】
このように定義した場合に、“Ｌｃ＜Ｌｘ”の関係が成り立っていることで、図６に示す挿入状態では、絶縁部３３の上面３３Ｕが上面部１１Ｕと対面し、絶縁部３３の下面３３Ｄが下面部１１Ｄと対面する状態を得ることができる。
【００５２】
さらに、“Ｌｘ＜（Ｌｃ＋Ｌｍ）”の関係が成り立っていることで、挿入状態においては絶縁部３３が凹部１１の外側まではみ出した状態になる。このため、この凹部１１からはみ出した絶縁部３３を指でしっかり摘むことができ、端子部３２のレセプタクル２０に対する挿抜を容易に行うことができる。
【００５３】
なお、プラグ３１の端子部３２のうち、絶縁部３３によって覆われていない部分の方向Ｙの長さをＬｐと定義した場合に、“Ｌｘ＜Ｌｐ”の関係が成り立っていることが好ましい。このＬｐは、通信ケーブル３０及びレセプタクル２０の準拠する規格によって定められている。
【００５４】
“Ｌｘ＜Ｌｐ”の関係が成り立つことで、端子部３２のレセプタクル２０への挿入時に、端子部３２の先端と、レセプタクル２０の開口部２２との位置関係を目視によって確認しやすくなり、端子部３２のレセプタクル２０への挿入の容易性を高めることができる。
【００５５】
この結果、端子部３２のレセプタクル２０への挿入時において、プラグ３１に不自然な力が加わるのを防止することができ、プラグ３１とレセプタクル２０の損傷を防ぐことができる。更に、端子部３２が凹部１１の底面１１Ｂや凹部１１の内壁面に衝突する可能性を減らすことができ、筐体１０とプラグ３１の損傷を防ぐことができる。
【００５６】
図６に示したＬｘは、挿入状態においてプラグ３１が方向Ｚに向かって傾いた場合でも、レセプタクル２０の破損に繋がる程度の方向Ｚの力が、レセプタクル２０と筐体１０内の基板との接合部分に伝わらないように決められる必要がある。
【００５７】
具体的には、図６に示す挿入状態におけるプラグ３１の方向Ｚの許容傾斜量を、上面３３Ｕが方向Ｚの上方向に、方向Ｙ側の端部を起点として傾いたときの上面３３Ｕの傾斜角θによって定義する。また、筐体１０には、製造上の誤差が生じたとしてもプラグ３１が挿抜可能なように寸法公差が設定されており、凹部１１の方向Ｚの高さは、規格で規定されているプラグ３１の絶縁部３３の方向Ｚの高さより大きい必要がある。そこで、この寸法公差として、凹部１１の方向Ｚの高さから、規格で規定されている絶縁部３３の方向Ｚの高さの最大値を減算して得られる値の半分の値をｈ（図６参照）と定義する。このように定義すると、Ｌｘ≧（ｈ／ｔａｎθ）となっている。なお、この寸法公差の決め方は、一例であって、実際の製造上の各種条件により適宜設定される。
【００５８】
この関係を満たすことで、上面部１１Ｕによるプラグ３１の方向Ｚの上方向への移動を規制する機能により、図６の状態から、上面３３Ｕが方向Ｚの上方向に向かって、傾斜角θより大きい角度で傾斜するのを防ぐことができる。
【００５９】
上記のｔａｎθは、ＬｐからＬｃを減算して得られる長さをｄと定義し、プラグ３１の端子部３２の方向Ｚの高さをＬ１（図６参照）と定義し、レセプタクル２０における端子部３２の挿入部分（開口部２２）の方向Ｚの高さをＬ２（図４参照）と定義し、Ｌ１とＬ２との差の許容される最大値をＧと定義した場合に、（Ｇ／ｄ）の式によって求められる。
【００６０】
Ｌ１とＬ２は規格によって決められている値であるが、これらの値には多少の幅がある。具体的には、「ＵＳＢ３．０  Ｍｉｃｒｏ−Ｂ」においては、Ｌ１は１．８ｍｍを中心にして＋０．０２ｍｍから−０．０８ｍｍまでの範囲が規格で定められている。また、Ｌ２は１．８ｍ５ｍを中心にして＋０．０８ｍｍから−０．０２ｍｍまでの範囲が規格で定められている。したがって、Ｌ１が規格上の最小値であり、Ｌ２が規格上の最大値であった場合を想定すると、上記のＧの値は０．２１ｍｍとなる。
【００６１】
ＬｐからＬｃを減算して得られる長さｄは、端子部３２のうちのレセプタクル２０に挿入されている部分の長さにほぼ一致する。ＬｐとＬｃは規格によって最小値が決められていることから、「ＵＳＢ３．０  Ｍｉｃｒｏ−Ｂ」においては、ｄ≧４．１ｍｍとなる。
【００６２】
４．１ｍｍの長さの方向Ｙに延びる物体の一端が方向Ｚの上方向に上記のＧ＝０．２１ｍｍ移動した場合におけるこの物体の方向Ｙ１における端部を起点とした傾斜角は、ａｒｃｔａｎ（０．２１／４．１）＝２．９３°となる。
【００６３】
したがって、挿入状態において、プラグ３１の絶縁部３３が上面部１１Ｕに接触した状態での上面３３Ｕの傾斜角θが２．９３°以下となっていれば、これ以上は上面３３Ｕが方向Ｚに移動することはなく、凹部１１の上面部１１Ｕに対して上面３３Ｕが圧接されることはない。このため、レセプタクル２０の破損を防ぐことができる。
【００６４】
以上のことから、距離ｈを例えば０．１５ｍｍとすると、「ＵＳＢ３．０  Ｍｉｃｒｏ−Ｂ」に準拠したレセプタクル２０を有するストレージ装置１００におけるＬｘは、ｈ／ｔａｎθ＝０．１５／ｔａｎ２．９３°＝０．１５／（０．２１／４．１）≒２．９３ｍｍ、以上とすることが好ましい。
【００６５】
なお、ストレージ装置１００のレセプタクル２０が、例えば「ＨＤＭＩ  ＴｙｐｅＡ」の規格に準拠するものである場合には、挿入状態において、プラグ３１の絶縁部３３が上面３３Ｕに接触した状態での上面３３Ｕの傾斜角θが２．５２°以下となっていれば、レセプタクル２０の破損を効果的に防ぐことができる。
【００６６】
したがって、距離ｈを例えば０．１５ｍｍとすると、「ＨＤＭＩ  ＴｙｐｅＡ」に準拠したレセプタクル２０を有するストレージ装置１００におけるＬｘは、ｈ／ｔａｎθ＝０．１５／ｔａｎ２．５２°≒３．４１ｍｍ、以上とすることで、レセプタクル２０の破損を効果的に防ぐことができる。また、距離Ｌｘは、「ＨＤＭＩ  ＴｙｐｅＡ」におけるＬｐの最大値である９．２ｍｍよりも小さい値とすることで、プラグ３１の挿入の容易性を高めることができる。
【００６７】
同様に、ストレージ装置１００のレセプタクル２０が、例えば「ＵＳＢ３．１  Ｔｙｐｅ−Ｃ」の規格に準拠するものである場合には、挿入状態において、プラグ３１の絶縁部３３が上面３３Ｕに接触した状態での上面３３Ｕの傾斜角θが２．０３°以下となっていれば、レセプタクル２０の破損を防ぐことができる。
【００６８】
したがって、距離ｈを例えば０．１５ｍｍとすると、「ＵＳＢ３．１  Ｔｙｐｅ−Ｃ」に準拠したレセプタクル２０を有するストレージ装置１００におけるＬｘは、ｈ／ｔａｎθ＝０．１５／ｔａｎ２．０３°≒４．２３ｍｍ、以上とすることで、レセプタクル２０の破損を効果的に防ぐことができる。また、距離Ｌｘは、「ＵＳＢ３．１  Ｔｙｐｅ−Ｃ」におけるＬｐの最大値である６．７５ｍｍより小さい値とすることで、プラグ３１の挿入の容易性を高めることができる。
【００６９】
以上のように、ストレージ装置１００によれば、図６に示す挿入状態において、プラグ３１の方向Ｚへの移動を、凹部１１の内壁面である上面部１１Ｕ及び下面部１１Ｄによって規制することができる。通信ケーブル３０に外力が加わってプラグ３１に方向Ｚへの力が加わった場合でも、この力を上面部１１Ｕ及び下面部１１Ｄによって受けることができるため、この力がレセプタクル２０に伝達するのを防ぐことができ、レセプタクル２０の破損を防ぐことができる。
【００７０】
また、ストレージ装置１００では、凹部１１の底面１１Ｂに形成された開口１２が、方向Ｙ１に向かって狭くなる所謂テーパー形状となっている。このため、端子部３２をレセプタクル２０に挿入する場合に、この開口１２の側面部１２ｃによって、端子部３２をレセプタクル２０の開口部２２までスムーズに誘導することができる。この結果、プラグ３１の挿入の容易性を高めることができる。また、端子部３２のレセプタクル２０への挿入時において、プラグ３１に不自然な力が加わるのを防止することができ、プラグ３１とレセプタクル２０の損傷を防ぐことができる。更に、端子部３２が凹部１１の底面１１Ｂや凹部１１の内壁面に衝突する可能性を減らすことができ、筐体１０とプラグ３１の損傷を防ぐことができる。
【００７１】
また、ストレージ装置１００では、図６に示す挿入状態において、プラグ３１の方向Ｘへの移動を、凹部１１の内壁面である右側面部１１Ｒ及び左側面部１１Ｌによって規制することができる。通信ケーブル３０に外力が加わってプラグ３１に方向Ｘへの力が加わった場合でも、この力を右側面部１１Ｒ及び左側面部１１Ｌによって受けることができるため、この力がレセプタクル２０に伝達するのを防ぐことができ、レセプタクル２０の破損を防ぐことができる。
【００７２】
なお、図６に示す挿入状態において、プラグ３１の方向Ｘへの移動が、凹部１１の内壁面である右側面部１１Ｒ及び左側面部１１Ｌによって規制されない構成であってもよい。
【００７３】
レセプタクル２０を破損させる可能性のある外力は、方向Ｚの向きの力が支配的である。このため、このような構成であっても、レセプタクル２０の破損を防ぐことは可能である。
【００７４】
ストレージ装置１００の筐体１０の凹部１１の形状は直方体形状としたが、これに限定されるものではない。凹部１１としては、少なくとも上面部１１Ｕと下面部１１Ｄを内壁面として持つ形状であればよい。
【００７５】
例えば、図３において、右側面部１１Ｒが方向Ｘの右方向に向かって湾曲した曲面であり、左側面部１１Ｌが方向Ｘの左方向に向かって湾曲した曲面であってもよい。レセプタクル２０が、「ＵＳＢ３．１  Ｔｙｐｅ−Ｃ」の規格に準拠するものである場合には、このように、右側面部１１Ｒと左側面部１１Ｌが湾曲した曲面となっていることで、プラグ３１の方向Ｘへの移動を効果的に規制することができる。
【００７６】
また、上面部１１Ｕと下面部１１Ｄは、方向Ｚから見た状態において重なる部分を有し、且つ、この部分が、挿入状態において、通信ケーブル３０の絶縁部３３と対面する構成となっていればよく、互いに異なる形状となっていてもよい。
【００７７】
また、通信ケーブル３０の絶縁部３３の形状は直方体形状としているが、これに限定されるものではない。絶縁部３３としては少なくとも上面３３Ｕと下面３３Ｄを外周面として持つ形状であればよい。例えば、通信ケーブル３０が「ＵＳＢ３．１  Ｔｙｐｅ−Ｃ」の規格に準拠するものである場合には、図５において、右側面３３Ｒが外側に湾曲した曲面であり、左側面３３Ｌが外側に湾曲した曲面となる。
【００７８】
また、ストレージ装置１００の開口１２の形状は上述したテーパー形状でなくてもよい。この構成であっても、レセプタクル２０の破損を防ぐ効果を得ることができる。
【００７９】
また、レセプタクル２０の方向Ｙにおける方向Ｙ２側の端部と、開口１２の方向Ｙにおける方向Ｙ２側の端部との位置が同じ構成であってもよい。
【００８０】
図７は、図１に示すストレージ装置１００の変形例であるストレージ装置１００Ａの概略構成を示す外観斜視図である。ストレージ装置１００Ａは、筐体１０の側面１０ａの凹部１１が削除され、代わりに、筒状の部材１３が側面１０ａに立設された構成である。開口１２とそこから露出するレセプタクル２０の構成はストレージ装置１００と同じである。
【００８１】
図８は、図７に示すストレージ装置１００Ａの筒状の部材１３近傍を模式的に示す斜視図である。
【００８２】
図８に示すように、筒状の部材１３の内壁面は、方向Ｚに垂直な平面であり且つ方向Ｘに延びる下面部１３Ｄと、方向Ｚに垂直な平面であり且つ方向Ｘに延びる上面部１３Ｕと、方向Ｘに垂直な平面であり且つ方向Ｚに延びる右側面部１３Ｒと、方向Ｘに垂直な平面であり且つ方向Ｚに延びる左側面部１３Ｌと、によって構成されている。下面部１３Ｄと上面部１３Ｕは対向しており、右側面部１３Ｒと左側面部１３Ｌは対向している。
【００８３】
ストレージ装置１００Ａにおいては、下面部１３Ｄが、ストレージ装置１００の下面部１１Ｄと同じ機能を果たす。また、上面部１３Ｕが、ストレージ装置１００の上面部１１Ｕと同じ機能を果たす。また、右側面部１３Ｒが、ストレージ装置１００の右側面部１１Ｒと同じ機能を果たす。また、左側面部１３Ｌが、ストレージ装置１００の左側面部１１Ｌと同じ機能を果たす。
【００８４】
つまり、通信ケーブル３０の端子部３２がレセプタクル２０に挿入された挿入状態では、通信ケーブル３０の絶縁部３３の上面３３Ｕの方向Ｙにおける端子部３２側の端部が、部材１３の上面部１３Ｕに対し隙間を空けて対面する。
【００８５】
また、通信ケーブル３０の絶縁部３３の下面３３Ｄの方向Ｙにおける端子部３２側の端部が、部材１３の下面部１３Ｄに対し隙間を空けて対面する。そして、これら上面部１３Ｕ及び下面部１３Ｄによって、方向Ｚへのプラグ３１の移動が規制される。
【００８６】
同様に、挿入状態では、通信ケーブル３０の絶縁部３３の右側面３３Ｒの方向Ｙにおける端子部３２側の端部が、部材１３の右側面部１３Ｒに対し隙間を空けて対面する。
【００８７】
また、通信ケーブル３０の絶縁部３３の左側面３３Ｌの方向Ｙにおける端子部３２側の端部が、部材１３の左側面部１３Ｌに対し隙間を空けて対面する。そして、これら右側面部１３Ｒ及び左側面部１３Ｌによって、方向Ｘへのプラグ３１の移動が規制される。
【００８８】
ストレージ装置１００Ａにおいては、上面部１３Ｕと下面部１３Ｄが、それぞれ、第一の対面部として機能し、右側面部１１Ｒと左側面部１１Ｌが、それぞれ、第二の対面部として機能する。
【００８９】
以上の構成のストレージ装置１００Ａによれば、ストレージ装置１００と同じ効果を得ることができる。ストレージ装置１００Ａによれば、ストレージ装置１００と比較すると、筐体１０の体積を減らすことができるため、小型・軽量化が可能である。
【００９０】
ストレージ装置１００Ａにおいても、プラグ３１の方向Ｘへの移動が、部材１３の右側面部１３Ｒと左側面部１３Ｌによって規制されない構成であってもよい。
【００９１】
また、上面部１３Ｕと下面部１３Ｄは、方向Ｚから見た状態において重なる部分を有し、且つ、この部分が、挿入状態において、絶縁部３３と対面する構成となっていればよく、互いに異なる形状となっていてもよい。
【００９２】
また、ストレージ装置１００Ａの筐体１０の部材１３は、筒状としているが、これに限定されるものではない。部材１３としては、少なくとも上面部１３Ｕと下面部１３Ｄを持つ形状であればよい。
【００９３】
例えば、図９に示すように、筐体１０の側面１０ａに、開口１２を挟んで方向Ｚに並び、且つ方向Ｙに向かって立設する２つの平板部１４，１５を設け、平板部１４の平板部１５と対向する側の方向Ｚに垂直な平面１４Ｕを上面部１３Ｕとして機能させ、平板部１５の平板部１４と対向する側の方向Ｚに垂直な平面１５Ｄを下面部１３Ｄとして機能させる構成であってもよい。平板部１４，１５は立設部を構成する。なお、平板部１４と平板部１５の対向する面は、方向Ｚから見た状態において重なる部分を有し、且つ、この部分が、挿入状態において、絶縁部３３と対面する構成となっていればよく、互いに異なる形状となっていてもよい。
【００９４】
ここまでは電子機器としてストレージ装置を例にして説明してきたが、上述してきた通信ケーブルのプラグの挿抜箇所の構造は、ストレージ装置に限らず、他の様々な電子機器に適用可能である。例えば、スマートフォン、モバイルルータ、又はモバイルバッテリ等にも適用可能である。また、電子機器に接続される通信ケーブルとしては、電力の送受信のみを行う（いわゆる充電ケーブル）ものであってもよい。
【００９５】
以上のように本明細書には以下の事項が開示されている。
【００９６】
（１）
端子部と前記端子部の一部を覆う絶縁材料により構成された絶縁部とを含むプラグを有する通信ケーブルの前記端子部を挿抜可能なレセプタクルを筐体に内蔵する電子機器であって、
前記筐体は、前記レセプタクルを露出させるための開口と、前記端子部が前記レセプタクルに挿入された状態において、前記プラグの前記絶縁部における対向する２つの第一の面の各々に対面する一対の第一の対面部と、を有し、
前記レセプタクルに対する前記端子部の挿抜方向から見た状態において、前記一対の前記第一の対面部は前記開口よりも外側に位置しており、
前記一対の前記第一の対面部によって、前記第一の面に垂直な方向への前記プラグの移動が規制される電子機器。
【００９７】
（２）
（１）記載の電子機器であって、
前記筐体は、前記端子部が前記レセプタクルに挿入された状態において、前記プラグの前記絶縁部における前記２つの第一の面以外の２つの対向する第二の面と対面する一対の第二の対面部を更に有し、
前記端子部の挿抜方向から見た状態において、前記一対の前記第二の対面部は前記開口よりも外側に位置しており、
前記一対の前記第二の対面部によって前記第二の面に垂直な方向への前記プラグの移動が規制される電子機器。
【００９８】
（３）
（１）又は（２）記載の電子機器であって、
前記絶縁部における前記２つの第一の面は、前記レセプタクルに含まれる複数の端子の配置面に平行な面である電子機器。
【００９９】
（４）
（１）から（３）のいずれか１つに記載の電子機器であって、
前記端子部が前記レセプタクルに挿入された状態において、前記絶縁部のうちの前記レセプタクル側の端部と前記レセプタクルの前記絶縁部側の端部との距離をＬｃとし、前記端子部の挿抜方向における前記絶縁部の長さをＬｍとし、前記レセプタクルの前記絶縁部側の前記端部と、前記第一の対面部の端部との距離をＬｘとした場合に、
Ｌｃ＜Ｌｘ＜（Ｌｃ＋Ｌｍ）の関係が成り立つ電子機器。
【０１００】
（５）
（４）記載の電子機器であって、
前記端子部の前記絶縁部によって覆われていない部分の前記挿抜方向の長さをＬｐとした場合に、
Ｌｃ＜Ｌｘ＜Ｌｐの関係が成り立つ電子機器。
【０１０１】
（６）
（５）記載の電子機器であって、
ＬｐからＬｃを減算して得られる長さをｄとし、前記レセプタクルに含まれる複数の端子の配置面に垂直な方向における前記端子部の高さをＬ１とし、当該方向における前記レセプタクルの当該端子部の挿入部分の高さをＬ２とし、Ｌ１とＬ２との差の許容される最大値をＧとし、前記一対の前記第一の対面部の間の距離から、前記通信ケーブルの規格によって規定される前記配置面に垂直な方向における前記絶縁部の最大幅を減算して得られた値の半分の値をｈとした場合に、
Ｌｘは、｛ｈ／（Ｇ／ｄ）｝以上となっている電子機器。
【０１０２】
（７）
（１）から（６）のいずれか１つに記載の電子機器であって、
前記開口は、前記レセプタクルに対する前記端子部の挿入方向に向かって狭くなる形状である電子機器。
【０１０３】
（８）
（１）から（７）のいずれか１つに記載の電子機器であって、
前記筐体の外表面には凹部が形成されており、
前記凹部の底面に前記開口が形成され、
前記凹部の内壁面によって前記第一の対面部が形成される電子機器。
【０１０４】
（９）
（１）から（７）のいずれか１つに記載の電子機器であって、
前記筐体は、外表面に前記レセプタクルに対する前記端子部の挿抜方向に立設された一対の立設部を有し、
前記一対の立設部の対向する面によって前記一対の前記第一の対面部が形成される電子機器。
【０１０５】
（１０）
（１）から（７）のいずれか１つに記載の電子機器であって、
前記筐体は、外表面に立設された筒状の部材を有し、
前記筒状の部材によって囲まれる前記筐体の外表面に前記開口が形成され、
前記筒状の部材の内壁面によって前記第一の対面部が形成される電子機器。
【符号の説明】
【０１０６】
１００、１００Ａ  ストレージ装置
１０  筐体
１０ａ  側面
１１  凹部
１１Ｂ  底面
１１Ｕ、１３Ｕ  上面部
１１Ｄ、１３Ｄ  下面部
１１Ｒ、１３Ｒ  右側面部
１１Ｌ、１３Ｌ  左側面部
１３  部材
１３Ｂ  領域
１４，１５  平板部
１４Ｕ、１５Ｄ  平面
１２  開口
１２ａ、１２ｂ  開口端縁
１２ｃ  側面部
２０  レセプタクル
２１  外周部材
２２  開口部
２３、２４  端子部
２０ａ、２０ｂ  突起部
３０  通信ケーブル
３１  プラグ
３２  端子部
３３  絶縁部
３３Ｕ  上面
３３Ｄ  下面
３３Ｒ  右側面
３３Ｌ  左側面
【図１】
0003217132.tif 000003
【図２】
0003217132.tif 000004
【図３】
0003217132.tif 000005
【図４】
0003217132.tif 000006
【図５】
0003217132.tif 000007
【図６】
0003217132.tif 000008
【図７】
0003217132.tif 000009
【図８】
0003217132.tif 000010
【図９】
0003217132.tif 000011